(57)【特許請求の範囲】
【請求項１】
釣り竿に装着され、釣り竿の長手方向に沿う軸回りに釣り糸を巻き取るスピニングリールであって、
前記釣り竿に装着される装着部と、前記装着部と間隔を隔てて配置されたリールボディと、前記装着部と前記リールボディとを連結する脚部とを有するリール本体と、
前記リールボディの前部に回転自在に装着されたロータと、
前記ロータの前部で前記リール本体に前後移動自在に装着され、前記ロータにより外周面に釣り糸が巻き付けられるスプールと、
前記ロータの回転に対して第１規制状態と前記第１規制状態より規制が強い第２規制状態とを取り得る回転規制手段と、
前記装着部と接離する方向に前記リール本体に移動自在に設けられ、中間操作部と前記中間操作部より先端側に配置された先端操作部とを有し、前記回転規制手段を前記第１規制状態と前記第２規制状態とに切り換え操作可能な規制操作手段と、
前記ロータの糸繰り出し方向の回転を制動可能な制動手段と、
前記ロータと前記装着部との間に配置された制動操作部を先端に有し、前記装着部と接離する方向に移動自在に前記リール本体に設けられ、前記制動操作部が前記装着部に接近する方向に操作されると前記制動手段による制動力が増加する制動力調整操作手段と、を備え、
前記中間操作部は、前記制動操作部より基端側で前記制動力調整操作手段と前記装着部との間に配置され、前記先端操作部は、前記制動操作部と前記ロータとの間に配置されており、
前記規制操作手段は、前記第１規制状態にするための、前記中間操作部が前記装着部に接近した第１規制位置と、前記第２規制状態にするための、前記装着部から離反した第２規制位置とに揺動自在に前記リール本体に設けられており、
前記規制操作手段は、前記第２規制位置にあるとき、前記制動力調整操作手段の前記装着部に接近する方向の移動に連動して前記装着部に接近する方向に移動して前記第１規制位置に戻る、スピニングリール。
【請求項２】
前記第１規制状態は前記ロータの回転を規制解除する状態であり、前記第２規制状態は前記ロータの回転を規制する状態である、請求項１に記載のスピニングリール。
【請求項３】
前記制動力調整操作手段は、前記リール本体に揺動軸回りに揺動自在に装着され先端に前記制動操作部を有する制動レバーと、前記制動レバーを前記装着部から離反する方向に付勢する第１付勢部材とを有する、請求項１又は２に記載のスピニングリール。
【請求項４】
前記規制操作手段を前記第２規制位置で保持する規制保持手段をさらに備える、請求項１から３のいずれかに記載のスピニングリール。
【請求項５】
前記規制操作手段は、前記揺動軸回りに揺動自在に装着され前記中間操作部と前記先端操作部とを有する規制レバーを有し、
前記規制保持手段は、前記規制レバーを前記第１規制位置と前記第２規制位置とに振り分けて付勢するトグルばね機構を有する、請求項４に記載のスピニングリール。
【請求項６】
前記制動操作部と前記先端操作部とは対向して配置されている、請求項１から５のいずれかに記載のスピニングリール。
【発明の詳細な説明】
【０００１】
【発明の属する技術分野】
本発明は、スピニングリール、特に、釣り竿に装着され、釣り竿の長手方向に沿う軸回りに釣り糸を巻き取るレバーブレーキ型のスピニングリールに関する。
【０００２】
【従来の技術】
一般に、磯釣りを行う場合、遠方に仕掛けを投げられるように比較的細い糸が使用される。このような細い糸はよれやすいため、制動レバー（制動力調整操作部の一例）によってロータが制動操作される逆転制動機構を有するレバーブレーキ型のスピニングリールがしばしば使用される。レバーブレーキ型のスピニングリールは、ロータを張力に応じて逆転させて魚と簡単にやりとりするために使用される。
【０００３】
この種のレバーブレーキ型のスピニングリールにおいて、制動状態が解除される中立位置と、中立位置より釣り竿から離反し所定の制動状態を維持する制動位置とに制動レバーを保持可能なスピニングリールが知られている。また、逆転制動機構に加えて逆転禁止機構を有するものでは、制動状態が解除されかつ逆転許可される中立位置と、中立位置より釣り竿から離反し制動状態が解除されかつ逆転が禁止される逆転禁止位置とに制動レバーを保持可能なスピニングリールも知られている。
【０００４】
このようなスピニングリールでは、魚とのやり取りを行う場合には、制動レバーで制動操作を行う。この制動操作を行う際には、たとえば人差し指の腹で制動レバーの先端下面を装着部に接近する方向に引き込む。一方、仕掛けに誘いのアクションを加えたり、仕掛けに掛かった魚を玉網に取り込んだり、釣り場を移動するときなどには、規制操作によりロータの糸繰り出し方向の回転を規制する。規制操作を行う際には、中指の背で制動レバーの先端より基端側の上面を押し込み規制状態にする。規制を解除する際には、制動レバーの先端を僅かに引き込む操作を行えばよい。このような制動レバーの操作により規制状態の切換操作を行えるので、釣り竿を持つ片手で手を離すことなく逆転制動機構や逆転禁止機構等の逆転規制機構の切換操作を行え、規制操作が容易になる。
【０００５】
【発明が解決しようとする課題】
前記従来の構成では、いずれの場合にも、釣り竿に荷重が作用している状態（たとえば釣れた魚を取り込んでいる状態）で規制操作を行うためには、制動レバーを押し込むために中指を釣り竿から離間させる方向に操作する必要がある。このため、釣り竿を握っている中指を釣り竿から離さなければならず、釣り竿を支持する力が弱まって釣り竿が不安定になる。
【０００６】
これを避けるために、先端側の人差し指で操作可能な部位に規制のための操作部を設けることが考えられる。しかし、人差し指で規制操作を行うと、たとえば、釣り竿の穂先から出た釣り糸が風の影響を受けてふけるのを防止するために釣り竿の先端を海面に近づけようとして腕を前下方に伸ばす動作を行うと、その状態から人差し指を釣り竿から離反する方向に伸ばすのは非常に困難になる。
【０００７】
本発明の課題は、操作部材により規制状態を切換可能なスピニングリールにおいて、釣りの状況に合わせて、釣り竿を安定して支持したり、規制操作を行い易くしたりすることができるようにすることにある。
【０００８】
【課題を解決するための手段】
発明１に係るスピニングリールは、釣り竿に装着され、釣り竿の長手方向に沿う軸回りに釣り糸を巻き取るリールであって、リール本体と、ロータと、スプールと、回転規制手段と、規制操作手段と、制動手段と、制動力調整手段と、を備えている。リール本体は、釣り竿に装着される装着部と、装着部と間隔を隔てて配置されたリールボディと、装着部とリールボディとを連結する脚部とを有する。ロータは、リールボディの前部に回転自在に装着されたものである。スプールは、ロータの前部でリール本体に前後移動自在かつ回転不能に装着され、ロータにより外周面に釣り糸が巻き付けられるものである。回転規制手段は、ロータの回転に対して第１規制状態と第１規制状態より規制が強い第２規制状態とを取り得る手段である。規制操作手段は、装着部と接離する方向にリール本体に移動自在に設けられ、中間操作部と中間操作部より先端側に配置された先端操作部とを有し、回転規制手段を第１規制状態と第２規制状態とに切り換え操作可能な手段である。制動手段は、ロータの糸繰り出し方向の回転を制動可能なものである。制動力調整手段は、ロータと装着部との間に配置された制動操作部を先端に有し、装着部と接離する方向に移動自在にリール本体に設けられ、制動操作部が装着部に接近する方向に操作されると制動手段による制動力が増加するものである。中間操作部は、制動操作部より基端側で制動力調整操作手段と装着部との間に配置され、先端操作部は、制動操作部とロータとの間に配置されている。
【０００９】
規制操作手段は、第１規制状態にするための、中間操作部が装着部に接近した第１規制位置と、第２規制状態にするための、装着部から離反した第２規制位置とに揺動自在にリール本体に設けられており、規制操作手段は、第２規制位置にあるとき、制動力調整操作手段の装着部に接近する方向の移動に連動して記装着部に接近する方向に移動して第１規制位置に戻る。
【００１０】
このスピニングリールでは、釣り竿に荷重がかかっているために釣り竿を握ったままの状態で規制操作を行いたい場合には、先端操作部により規制操作手段を規制操作し、腕を伸ばして釣り竿を操作する場合には中間操作部により規制操作手段を操作する。規制操作手段を操作すると、回転規制手段によるロータの規制状態が第１規制状態と第２規制状態との間で切り換わる。ここでは、規制操作手段に中間操作部及び先端操作部の２つの操作部を設けたので、２つの操作部を任意に使い分けることができる。このため、釣り竿に荷重が作用しているときには先端操作部でたとえば人差し指による規制操作を行えば、釣り竿を安定して支持できる。また、腕を伸ばして釣り竿を操作する場合には、中間操作部でたとえば中指による規制操作を行えば、規制操作を簡単に行える。このため、釣りの状況に合わせて、釣り竿を安定して支持したり、規制操作を行い易くしたりすることができる。
【００１１】
また、制動力調整操作手段をたとえば人差し指の腹で装着部に接近する方向に引き込み操作すると、制動手段によるロータの糸繰り出し方向の回転に対する制動力が増加する。また、人差し指の背で先端操作部を押し込み操作したり中指の背で押し込み操作すると、規制状態が切り換わる。ここでは、ロータの回転の規制を行う操作手段とロータの回転の制動を行う操作手段とを別々に設けたので、回転規制を行う際の操作ストロークを制動力調整操作手段の操作ストローク以下にすることができ、規制操作をさらに容易に行える。
【００１２】
さらに、規制操作部材を押し込んで第１規制位置から第２規制位置に向けて装着部から離反する方向に揺動させると、ロータに対する規制状態が切り換わる。さらにまた、規制状態を元に戻すために、第２規制位置から第１規制位置に戻すときには、規制操作手段ではなく、制動力調整操作手段を装着部に接近する方向に操作すればよいので、規制を元に戻す操作が容易になる。そして、そのまま制動力調整操作手段を装着部に接近する方向に操作すれば、制動力を増加させることができる。
【００１３】
発明２に係るスピニングリールは、発明１に記載のリールにおいて、第１規制状態は、ロータの回転を規制解除する状態であり、第２規制状態はロータの回転を規制する状態である。この場合には、ロータに対する規制を解除できるのでロータを自由に回転させることができるようになる。
【００１４】
発明３に係るスピニングリールは、発明１又は２に記載のリールにおいて、制動力調整操作手段は、リール本体に揺動軸回りに揺動自在に装着され先端に制動操作部を有する制動レバーと、制動レバーを装着部から離反する方向に付勢する第１付勢部材とを有する。この場合には、指で制動レバーを第１付勢部材の付勢力に抗して装着部に接近する方向に操作すると、その操作力に応じて制動力が増加し、指を離すと制動レバーが制動解除側に戻る。ここでは、指を離すだけで制動力を解除できる。
【００１５】
発明４に係るスピニングリールは、発明１から３のいずれかに記載のリールにおいて、規制操作手段を第２規制位置で保持する規制保持手段をさらに備える。この場合には、第２規制位置で規制操作手段が保持されるので、ロータの第２規制状態での規制が容易になる。
【００１６】
発明５に係るスピニングリールは、発明４に記載のリールにおいて、規制操作手段は、揺動軸回りに揺動自在に装着され中間操作部と先端操作部とを有する規制レバーを有し、規制保持手段は、規制レバーを第１規制位置と第２規制位置とに振り分けて付勢するトグルばね機構を有する。この場合には、規制レバーをトグルばね機構により第１規制位置と第２規制位置とに付勢及び保持できるので、規制レバーの付勢及び保持の構造が簡素になる。
【００１７】
発明６に係るスピニングリールは、発明１から５のいずれかに記載のリールにおいて、制動操作部と前記先端操作部とは対向して配置されている。この場合には、制動操作を行うための制動操作部と規制操作を行うための先端操作部が対向配置されているので、制動操作と規制操作とを同じ指で行いやすい。
【００１８】
【発明の実施の形態】
〔実施形態１〕
〔全体構成〕
図１に示す本発明の一実施形態によるスピニングリールは、ハンドル１を備えたリール本体２と、リール本体２の前部に回転自在に支持されたロータ３と、ロータ３の前部に配置された釣り糸を巻き取るスプール４とを備えている。
【００１９】
リール本体２は、例えば合成樹脂製又は金属製である。リール本体２は、釣り竿に装着される前後に長い装着部２ｃと、装着部２ｃと間隔を隔てて配置されたリールボディ２ａと、装着部２ｃとリールボディ２ａとを連結する脚部２ｂとを有している。リールボディ２ａの内部には、ロータ３を回転させるためのロータ駆動機構５と、ロータ３の糸繰り出し方向の回転（逆転）を制動するためのレバーブレーキ機構６と、スプール４を回転軸芯Ｘに沿って前後方向に移動させてスプール４に釣り糸を均一に巻き取るためのオシレーティング機構７とが設けられている。
【００２０】
ロータ３は例えば合成樹脂又は金属製であり、リール本体２に回転自在に支持されている。ロータ３は、円筒部３ａと、円筒部３ａの側方に互いに対向して設けられた第１アーム部３ｂ及び第２アーム部３ｃとを有している。円筒部３ａの前壁３ｄの中央部には貫通孔３ｅを有するボス部３ｆが形成されている。この貫通孔３ｅにスプール軸８及びピニオンギア１２（後述）が貫通している。第１アーム部３ｂの先端と第２アーム部３ｃの先端部とには、揺動自在にベールアーム９が設けられている。このベールアーム９により釣り糸をスプール４に案内する。
【００２１】
スプール４は例えば金属製であり、ロータ３の第１アーム部３ｂと第２アーム部３ｃとの間に配置されている。スプール４はスプール軸８の先端に着脱自在かつ回転不能に装着されている。スプール４は、外周に釣り糸が巻かれる糸巻き胴部４ａと、糸巻き胴部４ａの後部に一体形成されたスカート部４ｂと、糸巻き胴部４ａの前端に固定されたフランジ部４ｃとを有している。スプール軸８は、オシレーティング機構７により前後方向に移動可能である。
【００２２】
ロータ駆動機構５は、ハンドル１が固定されたハンドル軸１０とともに回転するマスターギア１１と、このマスターギア１１に噛み合うピニオンギア１２とを有している。ハンドル軸１０は、リール本体２に回転自在に支持されている。ピニオンギア１２は筒状に形成されており、その前部１２ａはロータ３中心部を貫通してスプール４側に延びている。この前部１２ａで、ロータ３はナット１３によりピニオンギア１２に回転不能に固定されている。ピニオンギア１２は、中間部と後部とで軸受１４，１５によりリール本体２に回転自在に支持されている。
【００２３】
〔レバーブレーキ機構の構成〕
レバーブレーキ機構６は、図１〜図３に示すように、制動部２０と、制動部２０を制動操作するための制動レバー２１と、制動部２０を所定制動状態に操作するための補助レバー２２と、制動レバー２１を装着部２ｃから離反する方向に付勢するコイルばね２３と、補助レバー２２を制動解除位置と所定制動位置とに保持するトグルばね機構２４とを有している。
【００２４】
図１に示すように、制動レバー２１は、リール本体２に装着された支持軸３３によりリール本体２に揺動自在に支持されている。また、前述したように、制動レバー２１は、コイルばね２３により装着部２ｃと離反する方向に付勢されている。制動レバー２１は、図３に示す制動解除位置と、制動解除位置より装着部２ｃに接近した図５に示す制動位置との間で揺動自在にリール本体２に取り付けられている。
【００２５】
制動レバー２１は、支持軸３３による支持部分から湾曲して前方に延びる操作部２１ａと、支持部分から湾曲して斜め前下方に延びる作用部２１ｂとを有している。操作部２１ａは、支持部分から装着部２ｃに沿ってベールアーム９の外方付近まで前方に延びた後、径方向外方に向けて延び、さらに先端が前方に向けて湾曲した形状である。この湾曲部分から前方が釣り竿を握る手の人差し指で操作可能な制動操作部２１ｃとなっている。操作部２１ａは、脚部２ｂから前方部分から、径方向外方に延びる部分まで幅が大きくなっており、その幅広部分には、略矩形の開口２１ｅが形成されている。この開口２１ｅから後述する補助レバー２２の操作部材２６が上方及び前方に露出している。
【００２６】
作用部２１ｂの先端は、制動部２０の内周側に対向して配置され、そこには、図３に示すように、制動部２０に接触可能な圧接部２１ｄが着脱自在に取り付けられている。圧接部２１ｄは合成樹脂製であり、制動レバー２１の揺動により制動部２０を外方に配置されたリール本体２側に押圧する。制動レバー２１は、何も操作されないとコイルばね２３により付勢されて、図１に示すように、制動解除位置に配置されて圧接部２１ｄが制動部２０から離反している。
【００２７】
補助レバー２２は、ロータ３を図３及び図５に示す制動解除状態と図４に示す所定制動状態とに切り換えて規制を行うためのものである。この実施形態１では、制動解除状態が第１規制状態に相当し、所定制動状態が第２規制状態に相当する。補助レバー２２は、図３及び図５に示すように装着部２ｃに接近した第１規制位置である制動解除位置と、図４に示すように装着部２ｃから離反した第２規制位置である所定制動位置との間で揺動する。補助レバー２２は、図２及び図３に示すように、支持軸３３回りに揺動自在にリール本体２に支持された第１レバー部材２５と、第１レバー部材２５と連動して揺動する第２レバー部材２７とを有している。
【００２８】
第１レバー部材２５は、制動レバー２１の図３手前側側面に並べて配置されている。第１レバー部材２５は、支持部分から制動レバー２１に沿って上前方及び下前方に延びたレバー本体２５ａと、レバー本体２５ａの上方に延びた先端にねじ２９により固定された操作部材２６とを有している。レバー本体２５ａの先端は制動レバー２１の操作部２１ａの幅広部分に位置している。また、支持部分より斜め前下方に延びたレバー本体２５ａの基端は、制動部２０の外周側に対向して配置されている。この基端に制動部２０に接触する圧接部２５ｂが着脱自在に装着されている。レバー本体２５ａの基端側の途中には、第２レバー部材２７が係止される矩形の係止孔２５ｃが形成されている。
【００２９】
操作部材２６は、基端側（図３右側）に中間操作部２６ａを有しており、先端に先端操作部２６ｂを有している。中間操作部２６ａは、制動レバー２１の制動操作部２１ｃより基端側に配置され、先端操作部２６ｂは、装着部２ｃから離反する側に制動操作部２１ｃと対向して配置されている。このため、中間操作部２６ａは、釣り竿を握る手の中指で操作可能であり、先端操作部２６ｂは、釣り竿握る手の人差し指で操作可能である。とくに、制動操作部２１ｃと先端操作部２６ｂは、同じ指による引き込み動作と押し込み動作とにより操作可能である。中間操作部２６ａ及び先端操作部２６ｂの先端部は後端部に比べて装着部２ｃに接近する形状に湾曲して形成されている。これにより、中指の背や人差し指の背で各操作部２６ａ，２６ｂを押し込み操作するときに、指が先端側に滑りにくくなる。
【００３０】
操作部材２６は、操作部２１ａの幅広部分に設けられた開口２１ｅから装着部２ｃに向けて上方に突出して配置されている。この突出部分に中間操作部２６ａが設けられている。したがって中間操作部２６ａは、開口２１ｅに三方を囲まれた状態で設けられている。操作部材２６は、開口２１ｅの下部から先端側に延びており、延びた先端に先端操作部２６ｂが形成されている。また、中間操作部２６ａの先端には、操作部２１ａの上面に係止される係止部２６ｃが僅かに凹んで形成されている。係止部２６ｃは、補助レバー２２が制動解除位置にあるとき、操作部２１ａの開口２１ｅの前部上面と間隔を隔てて配置されている。また、補助レバー２２が所定制動位置に配置されると、図４に示すように、中間操作部２６ａの係止部２６ｃは、操作部２１ａの開口２１ｅの前部上面にほぼ接触する。
【００３１】
また、操作部材２６と制動レバー２１の操作部２１ａとは、規制状態に関わらず、前方から見て両者が装着部２ｃと接離する方向で重複するように配置されている。これにより、糸ふけしやすい制動解除状態であっても、リールの前方から釣り糸が操作部材２６と操作部２１ａとの隙間に侵入しにくくなり、制動レバー２１や補助レバー２２に糸絡みが生じにくくなる。
【００３２】
第２レバー部材２７は、図２及び図６に示すように、リール本体２の前部にスプール軸８と平行な軸回りに揺動自在に装着されている。第２レバー部材２７の先端は、係止孔２５ｃに係止されており、第２レバー部材２７は、第１レバー部材２５と連動して制動解除位置に対応する第１位置（図６（ａ））と所定制動位置に対応する第２位置（図６（ｂ））との間で揺動する。第２レバー部材２７は、第１レバー部材２５の制動解除位置と所定制動位置との僅かな揺動距離に対してトグルばね機構２４の反転に必要な距離を生み出すために設けられている。このため、第２レバー部材２７の基端から揺動中心までの距離は、先端から揺動中心までの距離より２倍以上長い
コイルばね２３は、制動レバー２１の操作部２１ａとリール本体２の脚部２ｂとの間に圧縮状態で配置されている。コイルばね２３は、制動レバー２１を制動解除側に付勢している。これにより、制動レバー２１から手を離すとロータ３は、制動解除状態になる。
【００３３】
トグルばね機構２４は、図２及び図６に示すように、補助レバー２２を装着部２ｃに接近した制動解除位置と離反した所定制動位置とに振り分けて付勢するものである。トグルばね機構２４は、第２レバー部材２７の先端に装着された捩じりコイルばね２８を有している。捩じりコイルばね２８は、一端が第２レバー部材２７の先端に係止され、他端がリールボディ２ａの前端面に係止されている。ここでは、第２レバー部材２７の基端から揺動中心までの距離が先端から揺動中心までの距離より２倍以上長いので、第１レバー部材２５が揺動すると、その揺動が第２レバー部材２７の先端側で２倍以上の揺動距離となって現れ、捩じりコイルばね２８が反転可能になる。
【００３４】
捩じりコイルばね２８は、図６に示すように、第２レバー部材２７が第１位置に配置されると、第２レバー部材２７を図６（ａ）の時計回りに付勢し、第２位置に配置されると図６（ｂ）の反時計回りに付勢する。これにより、第２レバー部材２７が第１位置と第２位置とで保持され、さらに第１レバー部材２５が制動解除位置と所定制動位置とに保持される。
【００３５】
制動部２０は、図１に示すように、制動レバー２１により制動される制動部本体３１と、制動部本体３１をロータ３の糸繰り出し方向の回転にのみ連動して回転させるワンウェイクラッチ３２とを有している。
【００３６】
制動部本体３１は、ロータ３の内周側にロータ３と同心に配置された制動円筒４０と、制動円筒４０を傾動自在かつ回転不能に支持する回転円筒４１と、リールボディ２ａに設けられた円弧状の突出部４２とを有している。
【００３７】
制動円筒４０は薄肉の有底円筒形状の金属製円筒であり、その周部の先端の周接部４０ａが外周側に配置された突出部４２と内周側に配置された制動レバー２１の圧接部２１ｄとの間に配置される。また、周接部４０ａの外周側に補助レバー２２の圧接部２５ｂが配置されている。制動円筒４０はその中心部に鋸歯形状の内歯部（図示せず）を有している。回転円筒４１は、大径部４１ａと小径部４１ｂとを有する段付きの金属製円筒部材であり、大径部４１ａに内歯部に噛み合う外歯部（図示せず）が形成されている。この外歯部にワンウェイクラッチ３２及び制動円筒４０が回転不能に係止されている。大径部４１ａの内側には、ピニオンギア１２との間に軸受４３が配置されている。小径部４１ｂの外側にはリールボディ２ａとの間に軸受４４が配置されている。このため、回転円筒４１は、前部が軸受４３によりピニオンギア１２に回転自在に支持され、後部が軸受４４によりリールボディ２ａに回転自在に支持されている。また、回転円筒４１はワンウェイクラッチ３２によりロータ３の糸繰り出し方向の回転には一体で回転し、巻き取り時にはロータ３の回転力が作用しないようロータ３に連結されている。
【００３８】
制動円筒４０とワンウェイクラッチ３２との間には傾動した制動円筒４０を元の姿勢に戻すための円錐コイルばね４５が配置されている。
【００３９】
図２に示すように、突出部４２には、円弧状の合成樹脂製の制動シュー４２ａが装着されている。ワンウェイクラッチ３２は外輪遊転型のものであり、ロータ３の円筒部３ａの内周面に回転不能に外輪が連結され、内輪が回転円筒４１に回転不能に連結されている。
【００４０】
〔リールの動作及び操作〕
キャスティング時にはベールアーム９を糸開放姿勢側に倒し、釣り竿を降り出すことにより、スプール４の外周から釣り糸が繰り出される。糸巻取時には、ハンドル１を糸巻き取り方向に回転させると、ベールアーム９が図示しない戻し機構により糸巻き取り姿勢に戻る。ハンドル１の回転力はハンドル軸１０、マスターギア１１を介してピニオンギア１２に伝達される。ピニオンギア１２に伝達された回転力は、ピニオンギアの前部１２ａを介してロータ３に伝達される。このときロータ３は糸巻き取り方向に回転するので、この回転力は回転円筒４１には伝達されない。ピニオンギア１２が回転すると図示しない中間ギアによりその回転がオシレーティング機構７に伝達され、スプール軸８が前後方向に往復移動する。
【００４１】
制動レバー２１を何も操作しなければ、制動レバー２１はコイルばね２３により押圧され制動解除位置側に配置される。このとき、補助レバー２２が制動解除位置側に配置されていると、図３、図６（ａ）及び図７（ａ）に示すように、圧接部２１ｄ及び圧接部２５ｂが制動円筒４０から離反し、ロータ３は制動解除状態になる。
【００４２】
ロータ３を逆転させて魚とやりとりする時には、制動レバー２１の制動操作部２１ｃを例えば人差し指により装着部２ｃ側に引き込み操作し魚とのやりとりを行う。釣り糸が魚により引かれてロータ３が糸繰り出し方向に逆転すると、その回転力がワンウェイクラッチ３２を介して回転円筒４１に伝達され、さらに制動円筒４０に伝達される。この結果、制動円筒４０がロータ３と一体で回転する。
【００４３】
制動レバー２１の制動操作部２１ｃを装着部２ｃに接近する方向に引き込み操作すると、たとえ第１レバー部材２５が所定制動位置にあっても、図５に示すように、操作部２１ａが操作部材２６の係止部２６ｃを装着部２ｃに接近する方向に押圧し、補助レバー２２が制動レバー２１に連動して所定制動位置から制動解除位置側に揺動する。この結果、補助レバー２２による所定制動状態が一旦解除される。このとき、トグルばね機構２４では、第２レバー部材２７の揺動により捩じりコイルばね２８が反転し、第２レバー部材２７が第１位置側に付勢され、第１レバー部材２５が制動解除位置側に保持される（図６（ａ））。
【００４４】
この状態でさらに制動レバー２１を装着部２ｃに接近する方向に操作すると、図５に示すように、制動レバー２１の圧接部２１ｄが制動円筒４０の周接部４０ａを径方向外方に強く押圧し、制動円筒４０を傾け、周接部４０ａの外面が制動シュー４２ａに圧接する。この制動力は制動レバー２１に加える力を加減することにより調整でき、ロータ３の逆転量を任意に調整できる。この結果、制動レバー２１の操作力に応じた制動力がロータ３に付与される。このように、所定制動状態の解除を忘れても、制動レバー２１を引き込み操作するだけで、所定制動状態を解除できる。
【００４５】
釣り場を移動する時やリールを収納する時には、制動操作部２１ｃから手を離した状態で、補助レバー２２の中間操作部２６ａ又は先端操作部２６ｂを装着部２ｃから離反する方向に押し込み操作する。すると、図４、図６（ｂ）及び図７（ｂ）に示すように、補助レバー２２が制動解除位置から所定制動位置に揺動しトグルばね機構２４によりその位置で保持される。この所定制動位置では、中間操作部２６ａの係止部２６ｃが操作部２１ａの開口２１ｅにほぼ接触する。また、制動円筒４０の周接部４０ａの外周面が圧接部２５ｂにより径方向外方から押圧されてロータ３が所定の制動力で制動される。この結果、釣り場を移動するときなリールを収納するときに、仕掛けの重さなどにより釣り用リールが不意にスプール４から繰り出されることがなくなる。
【００４６】
さらに、仕掛けの垂らし長さを変更するためや、魚に当たりがあった時に魚に仕掛けを確実に食い込ませるために、ロータ３を所定制動状態から制動解除状態にしたい場合には、制動レバー２１を僅かに装着部２ｃに接近する方向に操作すればよい。すると、前述した図３に示すように、制動レバー２１により中間操作部２６ａが押圧されて補助レバー２２が制動解除位置側に揺動する。この結果、所定制動状態がいったん解除される。
【００４７】
ここでは、制動レバー２１ではなく、別に設けられた補助レバー２２を装着部２ｃから離反する方向に操作することにより制動解除状態（第１規制状態）と所定制動状態（第２規制状態）とを切換操作できるので、回転規制操作を行う際に必要なストロークを制動レバーの操作ストローク以下にすることができる。このため、制動レバー２１の操作ストロークを増やすことなく片手でロータ３の回転規制操作を簡単に行えるようになる。しかも制動による規制を加えているだけであるので、所定制動状態で大きな負荷が作用しても釣り糸が切れにくくなる。
【００４８】
また、制動解除状態と所定制動状態とで２つのレバー２１，２２の位置関係が異なるので、ロータ３が制動解除状態にあるのか所定制動状態にあるのかを瞬時に判別できる。とくに、たとえば補助レバーの操作部材２６の側面を色付けして制動解除位置にあるときその色が見え、所定制動位置にあるとき見えないようにすれば、ロータ３の状態判別をより瞬時に行いやすくなる。
【００４９】
さらに、補助レバー２２に中間操作部２６ａ及び先端操作部２６ｂの２つの操作部を設けたので、２つの操作部を任意に使い分けることができる。このため、釣り竿に荷重が作用しているときには先端操作部２６ｂでたとえば人差し指による規制操作を行えば、釣り竿を安定して支持できる。また、腕を伸ばして釣り竿を操作する場合には、中間操作部２６ａでたとえば中指による規制操作を行えば、規制操作を簡単に行える。このため、釣りの状況に合わせて、釣り竿を安定して支持したり、規制操作を行い易くしたりすることができる。
【００５０】
〔実施形態２〕
前記実施形態１では、圧接部２５ｂを第１レバー部材２５に設けて圧接部２１ｄに近接して配置したが、図８に示すように、第２レバー部材２７に圧接部２７ａを設けてもよい。なお、実施形態２以降の説明において、実施形態１と同一または同様の部材についてはその構造及び動作の説明を省略する。
【００５１】
この場合、圧接部２７ａは制動円筒４０の周接部４０ａの内周側に配置されており、その外周側に圧接部２７ａに対向してリールボディ２ａに円弧状の突出部４６が形成されている。この突出部４６には、制動シュー４６ａが装着されている。ここでは、第１レバー部材２５が、図８（ａ）に示す制動解除位置から図８（ｂ）に示す所定制動位置側に揺動すると、第２レバー部材２７が第２位置に揺動し、圧接部２７ａが制動円筒４０を制動シュー４６ａで挟持してロータ３を制動する。このため、前記実施形態１に比べて所定制動状態における制動力を強くすることができる。
【００５２】
このような、構造においても、実施形態１と同様な効果を得ることができる。
【００５３】
〔実施形態３〕
前記実施形態２では、制動シュー４６ａを突出部４６に固定したが、図９に示すように、制動シュー５１の押圧力を調整可能な調整機構５０を設けてもよい。
【００５４】
図９において、圧接部２７ａは第２レバー部材２７の途中に設けられており、制動円筒４０の周接部４０ａの内周側に配置されている。第２レバー部材２７は、さらに折れ曲がって延びており、延びた基端に捩じりコイルばね２８が装着されている。圧接部２７ａに対向して制動シュー５１が配置されている。
【００５５】
制動シュー５１は、調整機構５０により押圧されている。制動シュー５１は、周接部４０ａに対向して配置された接触部５１ａと、リールボディ２ａに案内されるガイド部５１ｂと、外周にコイルばね５２が配置される軸部５１ｃとを有している。接触部５１ａは周接部４０ａに接触する円弧状に形成されている。ガイド部５１ｂは、リールボディ２ａの前部に形成されたガイド溝５３に係合して制動円筒４０の径方向に案内される。軸部５１ｃは径方向に沿って配置され、その基端側に調整部材５４が対向して配置されている。調整部材５４は、リールボディ２ａの前端にねじにより制動円筒４０の径方向に進退自在に装着されている。この調整部材５４と制動シュー５１との間にコイルばね５２が配置され、制動シュー５１を制動円筒４０の中心側に付勢している。
【００５６】
調整部材５４の基端には、リール本体２の外部に露出する調整つまみ５４ａが形成されており、この調整つまみ５４ａを回すことによりコイルばね５２の付勢力を調整できる。これにより、制動シュー５１の付勢力が変化し、所定制動状態における制動力を調整できる。
【００５７】
ここでは、第１レバー部材２５が、図９（ａ）に示す制動解除位置から図９（ｂ）に示す所定制動位置側に揺動すると、第２レバー部材２７が第２位置に揺動し、圧接部２７ａが制動円筒４０を制動シュー５１で挟持してロータ３を制動する。このため、前記実施形態１に比べて所定制動状態における制動力を強くすることができる。さらに、調整つまみ５４ａを回すことにより、制動シュー５１の押圧力が変化し、所定制動状態における制動力が調整可能である。
【００５８】
このような、構造においても、実施形態１及び実施形態２と同様な効果を得ることができる。
【００５９】
〔実施形態４〕
前記３つの実施形態では、補助レバー２２の押し込み操作により規制するように構成したが、図１０に示すように、補助レバー２２の装着部２ｃから離反する押し込み操作により規制を解除してもよい。
【００６０】
この場合、たとえば、第２レバー部材２７に設けられた圧接部２７ａは制動円筒４０の周接部４０ａの外周側に配置されている。ここでは、第１レバー部材２５が、図１０（ａ）に示す所定制動位置から図１０（ｂ）に示す制動解除位置側に揺動すると、第２レバー部材２７が第２位置に揺動し、圧接部２７ａが制動円筒４０から離反してロータ３の制動を解除する。
【００６１】
このような、構造においても、実施形態１から３と同様な効果を得ることができる。
【００６２】
〔他の実施形態〕
（ａ）  前記実施形態では、補助レバー２２により所定制動状態で制動することによりロータ３を規制したが、逆転禁止機構を設けて補助レバー２２により逆転禁止状態と逆転許可状態とに切り換えてロータ３の回転を規制してもよい。
【００６３】
（ｂ）  前記実施形態では、制動レバー２１をリール本体２に揺動自在に装着したが、装着部２ｃに接離する方向に移動するのであれば直線移動するようにしてもよい。
【００６４】
（ｃ）  前記実施形態では、制動レバー２１の制動操作により所定制動状態が解除されるように構成したが、補助レバー２２の操作により所定制動状態を解除するように構成してもよい。
【００６５】
（ｄ）  前記実施形態では、第１規制状態を制動解除状態にし第２規制状態を所定制動状態にしたが、第１規制状態を所定制動状態とし、第２規制状態をそれより強い制動状態に設定してもよい。
【００６６】
【発明の効果】
本発明に係るスピニングリールでは、規制操作手段に中間操作部及び先端操作部の２つの操作部を設けたので、２つの操作部を任意に使い分けることができる。このため、釣り竿に荷重が作用しているときには先端操作部でたとえば人差し指による規制操作を行えば、釣り竿を安定して支持できる。また、腕を伸ばして釣り竿を操作する場合には、中間操作部でたとえば中指による規制操作を行えば、規制操作を簡単に行える。このため、釣りの状況に合わせて、釣り竿を安定して支持したり、規制操作を行い易くしたりすることができる。
【図面の簡単な説明】
【図１】  本発明の実施形態１によるスピニングリールの側面断面図。
【図２】  図１のII−II断面図。
【図３】  制動解除状態の各レバーと制動円筒の状態を示す断面模式図。
【図４】  所定制動状態の各レバーと制動円筒の状態を示す断面模式図。
【図５】  制動状態における各レバーと制動円筒の状態を示す断面模式図。
【図６】  制動解除状態と所定制動状態での第２レバー部材の動作を示す模式図。
【図７】  制動解除状態と所定制動状態での第１レバー部材の動作を示す模式図。
【図８】  実施形態２の図６に相当する図。
【図９】  実施形態３の図６に相当する図。
【図１０】  実施形態４の図６に相当する図。
【符号の説明】
２  リール本体
２ａ  リールボディ
２ｂ  脚部
２ｃ  装着部
３  ロータ
４  スプール
６  レバーブレーキ機構
２０  制動部
２１  制動レバー
２１ａ  操作部
２１ｃ  制動操作部
２２  補助レバー
２３  コイルばね
２４  トグルばね機構
２５  第１レバー部材
２６  操作部材
２６ａ  中間操作部
２６ｂ  先端操作部
２７  第２レバー部材
２８  捩じりコイルばね
３３  支持軸
【図１】
0004462754.tif 000002
【図２】
0004462754.tif 000003
【図３】
0004462754.tif 000004
【図４】
0004462754.tif 000005
【図５】
0004462754.tif 000006
【図６】
0004462754.tif 000007
【図７】
0004462754.tif 000008
【図８】
0004462754.tif 000009
【図９】
0004462754.tif 000010
【図１０】
0004462754.tif 000011